(57)【要約】【課題】装置本体内の塵埃を簡単かつ確実に除去することができるディスク装置を提供する。【解決手段】ディスク３０の回転により発生する気流が流通する流通経路２３，２８の途中に塵埃捕獲用ポケット２７を形成し、流通経路２３，２８の吸入口２４，２９をディスク３０の半径よりも外側に形成して、ディスク３０の周辺から流出した空気やディスク３０から離れた場所で発生した気流およびそれらに含まれる粉塵等の塵埃を流通経路２３，２８に導き入れ、流入した空気は気圧の下がったディスク３０の回転中心部付近に向かい排出口２５より排出するようにした。流通経路２３，２８の途中に塵埃捕獲用ポケット２７があるため、特別な動力を用いなくとも装置本体１１内の塵埃が簡単かつ確実に捕獲される。【選択図】図６
2012174302.tif 000002
【特許請求の範囲】
【請求項１】
円盤状の記録媒体をその上に載置する載置面を有し、前記記録媒体を装置本体内へと搬入する記録媒体搬送部と、
前記記録媒体搬送部により前記装置本体内に搬入された前記記録媒体に対して記録あるいは再生を行う記録再生部と、
前記記録媒体を回転させる回転部と、
前記記録媒体搬送部によって前記記録媒体を搬入した際に前記記録媒体の上面を覆う天井部分に形成され、前記装置本体内の空気に含まれる塵埃を捕獲する吸入口と、
前記吸入口から取り入れた空気を排出する排出口と、
前記吸入口と前記排出口とを連通させる流通経路と、
を備え、
前記吸入口は、搬入された前記記録媒体の投影面の外側に設けられ、
前記排出口は、搬入された前記記録媒体の投影面内に設けられ、
前記流通経路に前記塵埃を捕獲する塵埃捕獲用ポケットを設けたことを特徴とするディスク装置。
【請求項２】
請求項１記載のディスク装置であって、
前記記録媒体が回転する位置よりも外周側に離れた位置に前記吸入口を設け、前記記録媒体の回転中心付近に前記排出口を設けたことを特徴とするディスク装置。
【請求項３】
請求項１記載のディスク装置であって、
前記装置本体の天井部分を取り外し自在にしたことを特徴とするディスク装置。
【請求項４】
請求項１記載のディスク装置であって、
前記流通経路を前記記録媒体搬送部によって前記記録媒体を搬入した際に前記円盤状の記録媒体の外周側から内周側に向かう円弧状に複数形成し、前記円弧状の流通経路の途中に前記塵埃を捕獲する塵埃捕獲用ポケットを設けたことを特徴とするディスク装置。
【請求項５】
請求項４記載のディスク装置であって、
前記装置本体の天井部分から前記円弧状の流通経路を１ユニットとして取り外し自在にしたことを特徴とするディスク装置。
【請求項６】
請求項４記載のディスク装置であって、
前記円弧状の流通通路を分割構成してトンネル状に形成し、前記円弧トンネル状の流通経路と同心円上の途中で行き止まりになるように前記塵埃捕獲用ポケットを円環状断面に形成したことを特徴とするディスク装置。
【発明の詳細な説明】
【技術分野】
【０００１】
本発明は、内部の空気中の塵埃を除去する機能を備えたディスク装置に関する。
【背景技術】
【０００２】
従来より、ディスク装置の内部の塵埃を除去する技術やディスク装置以外の塵埃除去装置に関して、例えば、特許文献１，２に記載されたものがある。
【０００３】
この特許文献１に開示されている技術では、ディスクの略外周周速方向に形成された気流導入通路と、気流導入通路と連通した気流排出口と、気流導入通路と気流排出口の間に設けた塵埃トラップとを有している。この粉塵トラップはディスクトレイに取り付けられており、かつ、ディスクの回転時の気流を用いて塵埃を塵塵トラップに導くためにディスクトレイの上側の塵埃を主に捕獲する。
【０００４】
また、特許文献２に開示されている技術では、光ディスクドライブが二重構造となっており、外側の筐体と内側の蓋体の間を空気が行き来して循環し、ディスクの回転で空気の循環流を発生させる。
【先行技術文献】
【特許文献】
【０００５】
【特許文献１】特開２００８−１７６８３９号公報
【特許文献２】特開２００７−１７２７９９号公報
【発明の概要】
【発明が解決しようとする課題】
【０００６】
しかしながら、前記従来の特許文献１に開示されている技術では、空気の循環が考慮されておらず、ディスク内周から外周へ向かう空気をどこから供給するのかが問題であり、ディスクトレイの下部に存在する塵埃を捕獲するのが難しかった。また、ディスクトレイの下部の粉塵が巻き上がり、捕獲される前に光学ピックアップの対物レンズに付着する可能性もあった。
【０００７】
また、前記従来の特許文献２に開示されている技術では、空気の循環流の目的は冷却であり、空気が流れる経路には粉塵を捕獲する手段が存在しないために、一旦粉塵が入り込んでしまうと粉塵を除去することができなかった。
【０００８】
そこで、本発明は、前記した課題を解決すべくなされたものであり、装置本体内の塵埃を簡単かつ確実に除去することができるディスク装置を提供することを目的とする。
【課題を解決するための手段】
【０００９】
前記目的を達成するため、本願のディスク装置（10,10′）は、円盤状の記録媒体（30）をその上に載置する載置面（16a,16b）を有し、前記記録媒体（30）を装置本体（11）内へと搬入する記録媒体搬送部（16）と、前記記録媒体搬送部（16）により前記装置本体（11）内に搬入された前記記録媒体（30）に対して記録あるいは再生を行う記録再生部（18）と、前記記録媒体（30）を回転させる回転部（17）と、前記記録媒体搬送部（16）によって前記記録媒体（30）を搬入した際に前記記録媒体（30）の上面を覆う天井部分（22,22′）に形成され、前記装置本体（11）内の空気に含まれる塵埃を捕獲する吸入口（24,29）と、前記吸入口（24,29）から取り入れた空気を排出する排出口（25）と、前記吸入口（24,29）と前記排出口（25）とを連通させる流通経路（23,23′,28）と、を備え、前記吸入口（24,29）は、搬入された前記記録媒体（30）の投影面の外側に設けられ、前記排出口（25）は、搬入された前記記録媒体（30）の投影面内に設けられ、前記流通経路（23,23′,28）に前記塵埃を捕獲する塵埃捕獲用ポケット（27）を設けたことを特徴とする。
【発明の効果】
【００１０】
本願の発明によれば、装置本体内の塵埃を簡単かつ確実に除去することができるディスク装置を提供することができる。
【図面の簡単な説明】
【００１１】
【図１】本発明の第１実施形態のディスク装置を示す斜視図である。
【図２】ディスク装置からトップカバーユニットを取り外した状態を示す分解斜視図である。
【図３】トップカバーユニットを下方側から見た斜視図である。
【図４】トップカバーユニットの分解斜視図である。
【図５】トップカバーユニットの下部ダストキャッチャーの構造を示す斜視図である。
【図６】トップカバーユニットを上部側からみた平面図である。
【図７】ダストキャッチャーユニットをディスク装置の装置本体から取り外した状態を示す斜視図である。
【図８】本発明の第２実施形態のディスク装置を示す斜視図である。
【図９】第２実施形態のディスク装置の要部の概略断面図である。
【図１０】図９中Ｘ−Ｘ線に沿う断面図である。
【図１１】図１０中Ｙ−Ｙ線に沿う断面図である。
【発明を実施するための形態】
【００１２】
以下、本発明の実施形態を図面に基づいて説明する。
【００１３】
図１は本発明における第１実施形態のディスク装置１０の斜視図を示したものであり、ディスク装置１０の装置本体１１からディスクトレイ１６が出た状態を示し、また、図２はディスク装置１０からトップカバーユニット１４を取り外した状態の分解斜視図、図３はトップカバーユニット１４を下方側から見た斜視図、図４はトップカバーユニット１４の分解斜視図である。
【００１４】
図１及び図２に示すように、装置本体１１は、上面側が開口した箱形のベース部材１２と、このベース部材１２の上面側の開口部１２ａを覆って装置本体１１の天井部分を構成するトップカバーユニット１４とで構成されている。また、図４に示すように、トップカバーユニット１４は、トップカバー１５と、このトップカバー１５の切欠き部１５ａに対して着脱自在に装着されるダストキャッチャーユニット２０と、このダストキャッチャーユニット２０に装着されるディスククランプ１９とから構成されている。
【００１５】
図１，図２，図７に示すように、装置本体１１の前面にはベゼル１３が取り付けられている。このベゼル１３の上方のベース部材１２の前面側の開口部１２ｂには、ディスク（円盤状の記録媒体）３０を装置本体１１の内外へ搬入・搬出するディスクトレイ（記録媒体搬送部）１６を図示しないローディング機構を介して収納・引き出し自在に取り付けてある。このディスクトレイ１６には、ディスク３０をその上に載置するディスク載置面１６ａ，１６ｂと、光学ピックアップ用の開口部１６ｃ等を形成してある。また、装置本体１１内のベース部材１２上には、ディスク３０を回転させるスピンドルモータ（回転部）１７と、ディスク３０に対して記録あるいは再生を行う光学ピックアップ（記録再生部）１８等を取り付けてある。
【００１６】
図３，図４に示すように、ダストキャッチャーユニット２０は、上部ダストキャッチャー２１と、下部ダストキャッチャー２２とから構成されている。上部ダストキャッチャー２１の周囲には断面Ｕ字状の溝２１ａがあり、この溝２１ａとトップカバー１５の切欠き部１５ａが嵌合することで、図２に示すように、トップカバー１５にダストキャッチャーユニット２０が組み付けられている。また、上部ダストキャッチャー２１のＵ字状の溝２１ａとトップカバー１５の切欠き部１５ａが摺動することで、図７に示すように、トップカバー１５からダストキャッチャーユニット２０が取り外されるようになっている。さらに、上部ダストキャッチャー２１と下部ダストキャッチャー２２はスナップフィット等の方法で固定されている。ディスククランプ１９は上部ダストキャッチャー２１の円環凹状の溝２１ｂに回転自在な寸法で入るようになっている。
【００１７】
次に、装置本体１１の天井部分となる下部ダストキャッチャー２２の構造を図５を用いて説明する。
【００１８】
下部ダストキャッチャー２２の上面２２ａには、複数（この実施形態では２つ）の凹状の溝（流通通路）２３，２８が形成されている。一方の溝２３の両端は、装置本体１１内の空気に含まれる塵埃を捕獲する搬入されたディスク３０の投影面の外側に設けられた吸入口２４と、この吸入口２４から取り入れた空気を排出する搬入されたディスク３０の投影面内に設けられた排出口２５と連通している。また、一方の溝２３の途中には細い通路２６を介して塵埃捕獲用ポケット（ダスト捕獲部）２７が複数設けられている。同様に、他方の溝２８の両端は、装置本体１１内の空気に含まれる塵埃を捕獲する搬入されたディスク３０の投影面の外側に設けられた吸入口２９と、この吸入口２９から取り入れた空気を排出する搬入されたディスク３０の投影面内に設けられた排出口２５と連通している。また、他方の溝２８の途中には細い通路２６を介して塵埃捕獲用ポケット（ダスト捕獲部）２７が設けられている。これら各溝２３，２８は、下部ダストキャッチャー２２の上面２２ａと上部ダストキャッチャー２１の下部が合わさることで外部からは閉鎖され、トンネル状の流通経路となって吸入口２４，２９と排出口２５とにより外部と連通している。
【００１９】
図６は下部ダストキャッチャー２２の各溝２３，２８の働きを示す平面図である。
【００２０】
図６に示すように、ディスク３０が矢印Ａ方向に回転すると、ディスク３０の上下面の空気は遠心力によりディスク３０の内周から外周へと流れる。このとき、ディスク３０の内周側の気圧は外周側に比べて低くなる。空気の流れの一部はＢ，Ｃのように流れ、吸入口２４，２９へと入る。内部に入った空気は、最終的にディスク３０の中心部とつながった排出口２５へと流れるが、これはディスク３０の中心部付近の気圧が低くなっているからである。
【００２１】
また、吸入口２４，２９はディスク３０の外周から離れた場所に設けられているために、ディスク３０の面に沿って流出する流れＢ，Ｃ以外にもディスク３０から離れた場所で発生している流れＤをも捉えることができる。このために、ディスク３０の周辺やディスク３０から離れた場所に浮遊している塵埃を吸入することができる。各溝２３，２８を流れる空気Ｅ，Ｆに含まれる粉塵等の塵埃は、各溝２３，２８のカーブの外側へと遠心力により寄っていく。そして、溝２３，２８の途中にあるダスト捕獲部としての塵埃捕獲用ポケット２７に空気の流れＧ，Ｈが入ることで空気中の粉塵等の塵埃は除去される。なお、細い通路２６を介して各溝２３，２８と塵埃捕獲用ポケット２７は繋がっているため、捕獲された塵埃が逆流しにくい。
【００２２】
また、図７に示すように、ダストキャッチャーユニット２０は溝１５ａによりつながっているので、ディスク装置１０のトップカバー１５からダストキャッチャーユニット２０を取り外すことができる。さらに、上部ダストキャッチャー２１と下部ダストキャッチャー２２を分解すれば、塵埃捕獲用ポケット２７が露出し、内部の粉塵等の塵埃を取り除くことができる。
【００２３】
このように、ディスク３０の回転により発生する気流が流通する流通経路としての各溝２３，２８の途中に塵埃捕獲用ポケット２７を形成し、また、各溝（流通経路）２３，２８の排出口２５をディスク３０の半径よりも外側に置くことで、ディスク３０の周辺から流出した空気やディスク３０から離れた場所で発生した気流およびそれらに含まれる粉塵等の塵埃を各溝２３，２８に導き入れ、流入した空気は気圧の下がったディスク３０の回転中心部付近に向かいディスク３０の回転中心付近に設けられた排出口２５から排出されるようにしたことにより、ディスク３０の回転にともない気圧の高い吸入口２４，２９から気圧の低い排出口２５へと空気が流れるようになり、この流れの経路の途中にある吸入口２４，２９と排出口２５との間に形成された塵埃捕獲用ポケット２７で粉塵等の塵埃を簡単かつ確実に捕獲することができる。このため、ディスク装置１０の装置本体１１内の粉塵等の塵埃を、特別な動力を設けることなく捕獲して取り除くことができる。特に、吸入口２４，２９がディスク３０の外周から離れた場所に設けられているので、ディスク３０の回転によりディスク３０の付近から流出した気流とディスク３０から離れた場所で発生している気流を取り込むことができ、装置全体の塵埃を簡単かつ確実に除去することができる。
【００２４】
図８は本発明の第２実施形態のディスク装置１０′を示す斜視図、図９は同装置の要部の概略断面図、図１０は図９中Ｘ−Ｘ線に沿う断面図、図１１は図１０中Ｙ−Ｙ線に沿う断面図である。
【００２５】
図８に示すように、ディスク装置１０′でも上部ダストキャッチャー２１′のＵ字状の溝２１ａとトップカバー１５の切欠き部１５ａが摺動することで、トップカバー１５からダストキャッチャーユニット２０′が取り外されるようになっている。また、図９及び図１０に示すように、ディスク３０の上面を覆う装置本体１１の天井部分となる下部ダストキャッチャー２２′には複数の円弧トンネル状の流通経路２３′を形成してある。この円弧トンネル状の各流通経路２３′では、空気が流れる吸入口２４がディスク３０の外周よりやや外側に位置し、この吸入口２４から取り入れた空気を排出する排出口２５がディスク３０の内周付近に位置している。また、円弧トンネル状の各流通経路２３′の途中には塵埃捕獲用ポケット２７が設けられている。
【００２６】
図１１に示すように、円弧トンネル状の流通経路２３′の断面は円形であり、また、塵埃捕獲用ポケット２７は円弧トンネル状の流通経路２３′と同心円上の途中で行き止まりになる円環状断面になっている。さらに、円弧トンネル状の流通経路２３′は１ユニットとして取り外し自在になっており、内部に溜まった塵埃を除去することができるようになっている。特に、図１１に示すように、流通経路２３′のトンネル部分を上下２分割するように一対の下部ダストキャッチャー２２′，２２′で形成すれば（２ピース構造とすれば）、掃除が容易となる。
【００２７】
尚、図９中符号Ｊ，Ｋ，Ｌは空気の流れを示すと共に、符号Ｏはディスク３０の回転中心を示す。また、図１０中符号Ａはディスク３０の回転方向を示す。また、他の構成は、前記第１実施形態と同様であるため、同一構成部分には同一符号を付して詳細な説明は、省略する。
【００２８】
前記第２実施形態のディスク装置１０′では、前記第１実施形態の場合と同様に、気流を起こす特別な動力を用いることなく、その動力にディスク３０の回転を用いるために安価な塵埃捕獲装置を提供することができる。
【００２９】
また、複数の円弧トンネル状の流通経路２３′の吸入口２４をディスク３０の外周部付近に設けたので、最も流速が速い位置から気流を円弧状に取り入れることができ、気流が多くの塵埃を円弧トンネル状の流通経路２３′内に運び込むことができる。さらに、吸入口２４からはディスク３０の外周よりも外側の空気を巻き込んで取り入れることができ、ディスク３０の外側の空気の塵埃も簡単かつ確実に除去することができる。
【００３０】
さらに、複数の円弧トンネル状の流通経路２３′内に流入した塵埃は、遠心力により流通経路２３′の外壁に沿って流れ、最終的に複数の円弧トンネル状の流通経路２３′内にある各塵埃捕獲用ポケット２７で塵埃を簡単かつ確実に捕獲することができる。これにより、装置本体１１内の空気を浄化することができる。また、複数の円弧トンネル状の流通経路２３′を１ユニットとして取り外せるようにしたので、塵埃が溜まった状態になったら、その塵埃を除去し、再び装置本体１１に設置することができ、塵埃除去能力を常に保つことができる。さらに、図９において矢印Ｃ，Ｄに示すように、空気が循環するようになっているため、装置本体１１内に浮遊した塵埃を効率よく取り除くことができる。
【００３１】
尚、前記各実施形態では、空気を排出する排出口をディスクの回転中心付近に配置したが、排出口をディスクの回転中心付近から外した位置にしても排出口から流出した気流に引かれてディスクの中心部の気流も外側へ流れるため、排出口をディスクの回転中心付近から外れた位置に配置してもよい。
【符号の説明】
【００３２】
１０，１０′  ディスク装置
１１  装置本体
１２  ベース部材（装置本体）
１４  トップカバーユニット（装置本体）
１６  ディスクトレイ（記録媒体搬送部）
１６ａ，１６ｂ  ディスク載置面
１７  スピンドルモータ（回転部）
１８  光学ピックアップ（記録再生部）
２２，２２′  下部ダストキャッチャー（装置本体の天井部分）
２３，２８  溝（流通経路）
２３′  円弧トンネル状の流通経路
２４，２９  吸入口
２５  排出口
２７  塵埃捕獲用ポケット
３０  ディスク（円盤状の記録媒体）
【図１】
2012174302.tif 000003
【図２】
2012174302.tif 000004
【図３】
2012174302.tif 000005
【図４】
2012174302.tif 000006
【図５】
2012174302.tif 000007
【図６】
2012174302.tif 000008
【図７】
2012174302.tif 000009
【図８】
2012174302.tif 000010
【図９】
2012174302.tif 000011
【図１０】
2012174302.tif 000012
【図１１】
2012174302.tif 000013